(57)【要約】【課題】通知装置による無駄な通知が行われることを防ぐ。【解決手段】メールを受信したとき受信通知を行うスマートフォン（１）であって、テレビ（２）に通知情報を送信する通知生成部（１０１）と、メールを受信したときにスマートフォン（１）が操作状態であるか否かを判定する操作状態判定部（１０３）とを備え、通知生成部（１０１）は、操作状態であると判定された場合、通知情報をテレビ（２）に送信しない。【選択図】図１
2018084883.tif 000002
【特許請求の範囲】
【請求項１】
自装置宛の情報を受信したとき、該情報の受信通知を実行する通信装置であって、
上記通信装置が上記情報を受信したことを通知する通知装置に、該通知の実行指示を近距離無線通信によって送信する送信部と、
上記情報を受信したときに上記通信装置が操作されている状態である操作状態であるか否かを判定する操作判定部と、を備え、
上記送信部は、上記操作判定部が上記操作状態であると判定した場合、上記実行指示を上記通知装置に送信しないことを特徴とする通信装置。
【請求項２】
受信した上記情報が、緊急性が高いか否かを判定する緊急性判定部をさらに備え、
上記送信部は、上記操作判定部が上記操作状態でないと判定し、かつ、上記緊急性判定部が緊急性が高いと判定した場合、上記実行指示を上記通知装置に送信することを特徴とする請求項１に記載の通信装置。
【請求項３】
上記操作判定部は、上記通信装置が上記情報を受信したときに上記操作状態でないと判定した場合、上記情報を受信してから、受信した上記情報の緊急性の度合いに応じた待機時間が経過するまでの間、上記通信装置に対する操作の検出を継続し、
上記送信部は、上記待機時間が経過するまでの間に、上記操作判定部によって上記通信装置に対する操作が検出されなかった場合、上記実行指示を上記通知装置に送信することを特徴とする請求項１に記載の通信装置。
【請求項４】
自装置宛の情報を受信したとき、該情報の受信通知を実行する通信装置の制御方法であって、
上記通信装置が上記情報を受信したことを通知する通知装置に、該通知の実行指示を近距離無線通信によって送信する送信ステップを含み、
上記情報を受信したときに上記通信装置が操作されている状態である操作状態であるか否かを判定する操作判定ステップをさらに含むとともに、
上記操作判定ステップにおいて上記操作状態であると判定された場合、上記送信ステップによる上記実行指示の上記通知装置への送信を行わないことを特徴とする通信装置の制御方法。
【請求項５】
請求項１に記載の通信装置としてコンピュータを機能させるための制御プログラムであって、上記送信部および上記操作判定部としてコンピュータを機能させるための制御プログラム。
【請求項６】
請求項５に記載の制御プログラムを記録したコンピュータ読み取り可能な記録媒体。
【発明の詳細な説明】
【技術分野】
【０００１】
本開示は、自装置宛の情報を受信したとき、該情報の受信通知を実行する通信装置などに関する。
【背景技術】
【０００２】
スマートフォンなどの情報処理装置においてメールなどを受信したとき、外部機器にメールの受信通知を行わせる技術が従来技術として知られている。下記特許文献１には、スマートフォンがメールを受信したとき、予め設定された時間間隔を空けて、該受信の通知を行う電子時計が記載されている。
【先行技術文献】
【特許文献】
【０００３】
【特許文献１】特開２０１５−１９５０５１号公報（２０１５年１１月５日公開）
【発明の概要】
【発明が解決しようとする課題】
【０００４】
しかしながら、上記特許文献１の技術では、ユーザがスマートフォンを操作しているときにメールを受信した場合であっても、電子時計が通知を行ってしまう。通常、メールの受信通知はスマートフォンでも行われるため、スマートフォンを操作しているユーザは、スマートフォンにおける通知によってメールの受信を認識することができる。このため、電子時計における通知は、無駄な通知となってしまうという問題がある。この問題は、メールの受信通知だけでなく、着信通知などでも同様である。
【０００５】
本発明の一態様は、通知装置による無駄な通知が行われることを防ぐ通信装置を実現することを目的とする。
【課題を解決するための手段】
【０００６】
上記の課題を解決するために、本発明の一態様に係る通信装置は、自装置宛の情報を受信したとき、該情報の受信通知を実行する通信装置であって、上記通信装置が上記情報を受信したことを通知する通知装置に、該通知の実行指示を近距離無線通信によって送信する送信部と、上記情報を受信したときに上記通信装置が操作されている状態である操作状態であるか否かを判定する操作判定部と、を備え、上記送信部は、上記操作判定部が上記操作状態であると判定した場合、上記実行指示を上記通知装置に送信しない。
【０００７】
また、上記の課題を解決するために、本発明の一態様に係る通信装置の制御方法は、自装置宛の情報を受信したとき、該情報の受信通知を実行する通信装置の制御方法であって、上記通信装置が上記情報を受信したことを通知する通知装置に、該通知の実行指示を近距離無線通信によって送信する送信ステップを含み、上記情報を受信したときに上記通信装置が操作されている状態である操作状態であるか否かを判定する操作判定ステップをさらに含むとともに、上記操作判定ステップにおいて上記操作状態であると判定された場合、上記送信ステップによる上記実行指示の上記通知装置への送信を行わない。
【発明の効果】
【０００８】
本発明の一態様によれば、通知装置による無駄な受信通知が行われることを防ぐことができるという効果を奏する。
【図面の簡単な説明】
【０００９】
【図１】本発明の実施形態１に係る通知システムに含まれるスマートフォンおよびテレビの要部構成の一例を示すブロック図である。
【図２】図１に示すスマートフォンおよびテレビの外観の一例を示す図である。
【図３】図１に示すスマートフォンに記憶されている緊急度設定のデータ構造および具体例を示す図である。
【図４】図１に示す通知システムが実行する処理の流れの一例を示すフローチャートである。
【図５】本発明の実施形態２に係る通知システムに含まれるスマートフォンおよびテレビの要部構成の一例を示すブロック図である。
【図６】図５に示すスマートフォンに記憶されている緊急度設定のデータ構造および具体例を示す図である。
【図７】図５に示す通知システムが実行する処理の流れの一例を示すフローチャートである。
【発明を実施するための形態】
【００１０】
〔実施形態１〕
以下、本発明の実施形態１について、図１から図４に基づいて詳細に説明する。本開示では、本発明の一態様に係る通知システム１００について説明する。
【００１１】
（通知システム１００の概要）
まず、図２に基づいて、通知システム１００の概要について説明する。図２は、通知システム１００に含まれるスマートフォン１およびテレビ２の外観の一例を示す図である。
【００１２】
スマートフォン１は、自装置のユーザ宛の情報を、ネットワークを介して受信する通信装置の一例である。テレビ２は、ユーザ宛の情報を受信したことをユーザに通知する通知装置の一例である。ユーザ宛の情報は、例えば、ユーザ宛のメール、ＳＭＳ（short messaging service）やインスタントメッセンジャーなどを利用したテキストメッセージ、電話の着信信号および音声信号などが挙げられる。なお、ここではユーザ宛の情報として、メールを例に挙げて説明する。
【００１３】
スマートフォン１はメールを受信すると、通知情報を近距離無線通信によってテレビ２に送信する。通知情報とは、メールを受信したことをユーザに通知するために使用される情報である。通知情報は、例えば、送信相手、件名、および、本文の少なくとも一部を含むテキストや、メールの受信を示す音声データなどである。また、ユーザ宛の情報が電話の着信信号である場合、通知情報に含まれるテキストは、例えば、電話の発信相手の名称を含む。
【００１４】
テレビ２は、受信した通知情報に基づいて、メールを受信したことの通知を出力する。このため、通知情報は、テレビ２に通知を実行させるための指示（実行指示）であると表現することもできる。例えばテレビ２は、図示のように、メールを受信したことを示す通知画像２１１を表示部２１に表示させる。また、テレビ２は、メールの受信を示す音声を、音声出力部２２（図１参照）から出力してもよい。なお、テレビ２による通知の出力方法は、これらの例に限定されない。例えば、テレビ２は、ＬＥＤなどによって実現される点灯部（不図示）を点灯または点滅させることによって、メールの受信を通知してもよい。以上のように、テレビ２による通知によって、ユーザはスマートフォン１を使用していない場合であってもメールの受信を認識することができる。
【００１５】
また、通知システム１００は、状況に応じて、テレビ２によるメールの受信を非通知とすることができる。具体的には、スマートフォン１は、メールを受信したときに自機がユーザによって操作されている状態（以下、「操作状態」と称する）である場合、通知情報をテレビ２に送信しない。これにより、テレビ２はメールの受信をユーザに通知しない。
【００１６】
スマートフォン１は既存の機能として、メールなどの情報を受信したとき、自機のハードウェアを使用して通知を行う機能を備えている。例えば、スマートフォン１は、表示部１６に通知画像を表示させたり、音声出力部（不図示）から通知音声を出力させたりする。このため、ユーザがスマートフォン１を操作している場合、ユーザは、メールなどの情報の受信を認識することができる。よって、ユーザがスマートフォン１を操作している場合には、スマートフォン１がテレビ２へ通知情報を送信しないようにすることで、通知システム１００は、無駄な通知の出力を防ぐことができる。
【００１７】
なお、通信装置はスマートフォン１に限定されない。例えば、フューチャーフォン、タブレット端末、ノートパソコンなどであってもよい。また、通知装置はテレビ２に限定されない。例えば、スマートウォッチ、ブレスレット型の活動量計などであってもよい。
【００１８】
（スマートフォン１の要部構成）
次に、図１に基づいて、スマートフォン１の要部構成について説明する。図１は、スマートフォン１およびテレビ２の要部構成の一例を示すブロック図である。なお、図１では、スマートフォン１およびテレビ２において、本発明の特徴点と関連性の薄い部材の記載を省略している。また、これらの部材については、本明細書での説明を省略する。
【００１９】
スマートフォン１は、制御部１０、ネットワーク通信部１１、通話部１２、近距離通信部１３、操作部１４、記憶部１５、および表示部１６を備えている。
【００２０】
制御部１０は、スマートフォン１の各部を統括して制御する。ネットワーク通信部１１は、ネットワークを介した、外部装置との情報の送受信を行う。通話部１２は、着信信号の受信、発信信号の送信、および通話が開始された後の音声信号の送受信を行う。近距離通信部１３は、近距離無線通信による外部装置（テレビ２）との情報の送受信を行う。操作部１４は、ユーザによる操作の入力を受け付ける。操作部１４は例えば、タッチパネルおよび物理ボタンによって実現されるが、この例に限定されない。記憶部１５は、スマートフォン１が使用する各種データを記憶する。表示部１６は、表示領域内に表示対象を表示する。表示部１６は例えば、ＬＣＤ（液晶ディスプレイ）によって実現されるが、この例に限定されない。
【００２１】
制御部１０は、通知生成部１０１（送信部）、緊急度判定部１０２（緊急性判定部）、および操作状態判定部１０３（操作判定部）を含んでいる。また、記憶部１５は、少なくとも、通知機器情報１５１、および緊急度設定１５２を記憶している。
【００２２】
通知生成部１０１は通知情報を生成する。また、通知生成部１０１は、近距離通信部１３を介して、生成した通知情報をテレビ２に送信する。これにより、テレビ２は通知情報に基づく通知を出力することができる。また、通知生成部１０１は、生成した通知情報に基づく通知を、スマートフォン１のハードウェアに出力させる。例えば、通知生成部１０１は、通知画像を表示部１６に表示させる。
【００２３】
ここで、通知生成部１０１の具体的な処理について、スマートフォン１がメールを受信した場合を例に挙げて説明する。通知生成部１０１は、ネットワーク通信部１１からメールデータを取得する。続いて、通知生成部１０１は、緊急度判定部１０２にメールデータを出力し、受信したメールが、緊急性が高いメールであるか否かを判定させる。また、通知生成部１０１は、操作状態判定部１０３に、スマートフォン１が操作状態であるか否かを判定させる。
【００２４】
通知生成部１０１は、操作状態判定部１０３が、スマートフォン１が操作状態であると判定した場合、処理を終了する。また、通知生成部１０１は、緊急度判定部１０２が、緊急性が高いメールでないと判定した場合も、処理を終了する。すなわちこれらの場合、通知生成部１０１は、通知情報をテレビ２に送信しない。
【００２５】
一方、通知生成部１０１は、操作状態判定部１０３が、スマートフォン１が操作状態でないと判定し、かつ、緊急度判定部１０２が、緊急性が高いメールであると判定した場合、通知情報を生成する。具体的には、通知生成部１０１は、取得したメールデータに含まれるテキストから、通知情報として送信するテキストデータ（以下、「通知テキスト」と称する）を生成する。例えば、通知生成部１０１は、送信元のメールアドレス、件名、およびメール本文のテキストの一部を通知テキストに含める。
【００２６】
通知生成部１０１は、通知テキストに含めるテキストの文字数を、通知機器情報１５１に基づいて決定する。通知機器情報１５１は、スマートフォン１が通知情報を送信することができる通知装置（例えば、テレビ２）の情報である。例えば、通知機器情報１５１は、通知装置の表示部、音声出力部の有無を示す情報を含む。また、通知機器情報１５１は、通知装置の表示部のサイズの情報を含む。これらの情報は、通知装置を識別するための識別情報に対応付けられている。通知生成部１０１は、近距離通信部１３を介して、通信を確立した通知装置の識別情報を取得する。そして、通知生成部１０１は、該識別情報に対応付けられた、通知装置の表示部のサイズの情報に基づいて、通知テキストに含める文字数を決定する。
【００２７】
また、通知生成部１０１は、通知情報の送信先である通知装置が音声出力部を備えている場合、メールの受信を示す音声データ（不図示）を記憶部１５から読み出し、通知情報に含める。
【００２８】
緊急度判定部１０２は、通知生成部１０１の指示により、受信したユーザ宛の情報の緊急性が高いか否かを判定する。具体的には、緊急度判定部１０２は、通知生成部１０１から取得したユーザ宛の情報と、緊急度設定１５２とに基づいて、受信した情報が緊急条件を満たす情報であるか否かを判定する。なお、緊急条件とは、緊急性が高いことを示す所定の条件である。そして、緊急度判定部１０２は、通知生成部１０１からの指示に対する応答として、緊急性が高いか否かを示す情報を出力する。
【００２９】
ここで、緊急度設定１５２の詳細について、図３に基づいて説明する。図３は、緊急度設定１５２のデータ構造および具体例を示す図である。図示のように、本実施形態に係る緊急度設定１５２は、緊急度と条件とを対応付けたテーブルである。なお、緊急度設定１５２のデータ構造は、図示のテーブルに限定されるものではない。
【００３０】
「緊急度」のカラムには、緊急性が高いことを示す「緊急」と、緊急性が高くないことを示す「通常」とが格納されている。なお、「緊急度」のカラムに格納される情報は、図示のようなテキストに限定されない。すなわち、該情報は、緊急性が高いことおよび緊急性が高くないことを示す情報であればよい。例えば、該情報は数字であってもよいし、アルファベットであってもよい。
【００３１】
「条件」のカラムには、緊急条件および緊急性が高くないことを示す条件（以下、「非緊急条件」と称する）が格納されている。緊急条件は「緊急」に対応付けられており、非緊急条件は「通常」に対応付けられている。なお、非緊急条件は、図示のように、「緊急条件に該当しない」というものであってもよい。
【００３２】
本実施形態に係る緊急条件は、「メール件名に『緊急』または『至急』が含まれている」、および、「電話の発信元がＡさん」である。すなわち、緊急度判定部１０２は、取得したメールデータの件名に、「緊急」または「至急」というテキストが含まれている場合、受信したメールは緊急性が高いメールであると判定する。また、緊急度判定部１０２は、取得した着信信号に含まれる電話番号が、Ａさんの電話番号である場合、この着信は緊急性が高い着信であると判定する。なお、緊急度設定１５２は、緊急条件のセルに、Ａさんの電話番号を含んでいることが好ましい。これにより、緊急度判定部１０２は、取得した電話番号および緊急度設定１５２のみを用いて、着信が緊急性の高い着信であるか否かを判定することができる。
【００３３】
操作状態判定部１０３は、ユーザ宛の情報を受信したときにスマートフォン１が操作状態であるか否かを判定する。操作状態判定部１０３は、通知生成部１０１からの指示に対する応答として、操作状態であるか否かを示す情報を出力する。操作状態判定部１０３は、操作部１４に対する操作が入力されたことを検出する。操作が入力されたことを検出した場合、操作状態判定部１０３は所定時間の計測を開始する。そして、操作状態判定部１０３は、所定時間が経過するまで、操作状態を示すフラグを立てる。操作状態判定部１０３は、操作が入力されたことを検出するたびに、所定時間の計測をリセットする。すなわち、操作状態判定部１０３は、操作部１４に対する操作が、所定時間以内の間隔で連続して入力されている場合、操作状態を示すフラグが立った状態を維持する。
【００３４】
一方、操作状態判定部１０３は、操作が入力されたことを検出することなく、所定時間が経過した場合、非操作状態を示すフラグを立てる。非操作状態とは、スマートフォン１がユーザによって操作されていない状態である。
【００３５】
操作状態判定部１０３は、通知生成部１０１からの指示を受信したとき、いずれのフラグが立っているかを判定する。そして、判定結果に基づいて、操作状態を示す情報、または非操作状態を示す情報を通知生成部１０１に出力する。
【００３６】
（テレビ２の要部構成）
次に、図１に基づいて、テレビ２の要部構成について説明する。テレビ２は、制御部２０、表示部２１、音声出力部２２、および近距離通信部２３を備えている。
【００３７】
制御部２０は、テレビ２の各部を統括して制御する。表示部２１は、表示領域内に表示対象を表示する。表示部２１は例えば、ＬＣＤ（液晶ディスプレイ）によって実現されるが、この例に限定されない。音声出力部２２は、音声データに基づく音声を出力する。音声出力部２２は例えば、スピーカによって実現されるが、この例に限定されない。近距離通信部２３は、近距離無線通信による外部装置（スマートフォン１）との情報の送受信を行う。
【００３８】
制御部２０は、通知制御部２０１を含んでいる。通知制御部２０１は、通知情報に基づいて通知を出力する。具体的には、通知制御部２０１は、通知情報に含まれる通知テキストを用いて通知画像を生成し、表示部２１に表示させる。また、通知制御部２０１は、通知情報に含まれる音声データに基づく音声を、音声出力部２２に出力させる。
【００３９】
（通知システム１００が実行する処理の流れ）
次に、図４に基づいて、通知システム１００が実行する処理の流れについて説明する。図４は、通知システム１００が実行する処理の流れの一例を示すフローチャートである。なお、このフローチャートでは、ユーザ宛の情報としてメールを例に挙げて説明する。
【００４０】
通知生成部１０１は、ネットワーク通信部１１がメールを受信するまで待機する（ステップＳ１、以下、「ステップ」を省略）。ネットワーク通信部１１がメールを受信し、メールデータを取得する（Ｓ１でＹＥＳ）、通知生成部１０１は、操作状態判定部１０３にユーザ操作があるか、すなわち、スマートフォン１が操作状態であるか否かを判定させる（Ｓ２、操作判定ステップ）。操作状態判定部１０３が、スマートフォン１が操作状態であると判定した場合（Ｓ２でＹＥＳ）、通知生成部１０１は処理を終了する。この場合、テレビ２によるメールの受信通知は行われない。
【００４１】
一方、操作状態判定部１０３が、スマートフォン１が操作状態でないと判定した場合（Ｓ２でＹＥＳ）、通知生成部１０１は、緊急度判定部１０２に緊急性が高いメールであるか否かを判定させる（Ｓ３）。緊急度判定部１０２が、緊急性が高いメールでないと判定した場合（Ｓ３でＮＯ）、通知生成部１０１は処理を終了する。この場合も、テレビ２によるメールの受信通知は行われない。
【００４２】
一方、緊急度判定部１０２が、緊急性が高いメールであると判定した場合（Ｓ３でＹＥＳ）、通知生成部１０１は、通知情報を生成する（Ｓ４）。そして、通知生成部１０１は、近距離無線通信によって通知情報をテレビ２に送信する（Ｓ５、送信ステップ）。
【００４３】
テレビ２の近距離通信部２３は、通知情報を受信する（Ｓ１１）。そして、近距離通信部２３は、受信した通知情報を通知制御部２０１に出力する。通知制御部２０１は、取得した通知情報に基づいて通知を出力する（Ｓ１２）。以上で、通知システム１００が実行する処理は終了する。
【００４４】
〔実施形態２〕
本発明の他の実施形態について、図５〜図７に基づいて説明すれば、以下のとおりである。なお、説明の便宜上、前記実施形態にて説明した部材と同じ機能を有する部材については、同じ符号を付記し、その説明を省略する。
【００４５】
本実施形態に係る通知システム１００ａは、スマートフォン１に代えてスマートフォン１ａを含んでいる。スマートフォン１ａは、ユーザ宛の情報を受信したときに自機が操作状態でない場合、該情報の緊急度に応じた待機時間を特定する。そして、スマートフォン１ａは、特定した待機時間が経過するまでの間に自機が操作されなかった場合、通知情報をテレビ２に送信する。なお、緊急度とは、ユーザ宛の情報の緊急性の度合いを示す情報である。また、待機時間とは、通知情報を生成するか否かを決定するまでにスマートフォン１ａが待機する時間である。
【００４６】
（スマートフォン１ａの要部構成）
次に、図５に基づいて、スマートフォン１ａの要部構成について説明する。図５は、スマートフォン１ａおよびテレビ２の要部構成の一例を示すブロック図である。なお、本実施形態では、スマートフォン１ａについて、スマートフォン１と異なる点のみ説明する。
【００４７】
スマートフォン１ａは、制御部１０および記憶部１５に代えて制御部１０ａおよび記憶部１５ａを備えている。また、スマートフォン１ａは、新たにタイマ１７を備えている。
【００４８】
タイマ１７は、制御部１０ａによって制御され、時間を計測する。制御部１０ａは、スマートフォン１ａの各部を統括して制御する。記憶部１５ａは、スマートフォン１ａが使用する各種データを記憶する。
【００４９】
制御部１０ａは、通知生成部１０１ａ（送信部）、緊急度判定部１０２ａ、および操作状態判定部１０３ａ（操作判定部）を含んでいる。記憶部１５ａは、緊急度設定１５２に代えて、緊急度設定１５２ａを記憶している。
【００５０】
通知生成部１０１ａが、通知生成部１０１と異なる点は、操作状態判定部１０３ａからの情報のみで、通知情報を生成するか否かを決定する点である。具体的には、通知生成部１０１ａは、操作状態判定部１０３ａから非操作状態を示す情報を取得した場合、操作状態判定部１０３ａによって特定された待機時間が経過するまでの間に、操作部１４に対する操作が検出されたか否かを示す情報を待機する。そして、通知生成部１０１ａは、操作が検出されなかったことを示す情報を取得した場合、通知情報を生成する。一方、通知生成部１０１ａは、操作が検出されたことを示す情報を取得した場合、処理を終了する。
【００５１】
緊急度判定部１０２ａが、緊急度判定部１０２と異なる点は、操作状態判定部１０３ａの指示により、待機時間を特定する点である。具体的には、緊急度判定部１０２ａは、通知生成部１０１から取得したユーザ宛の情報と、緊急度設定１５２ａとに基づいて、受信した情報の緊急度を特定する。そして、特定した緊急度に応じた待機時間を特定する。緊急度判定部１０２ａは、特定した待機時間を操作状態判定部１０３ａに出力する。
【００５２】
ここで、緊急度設定１５２ａの詳細について、図６に基づいて説明する。図６は、緊急度設定１５２ａのデータ構造および具体例を示す図である。図示のように、本実施形態に係る緊急度設定１５２ａは、緊急度、待機時間、および条件を対応付けたテーブルである。なお、緊急度設定１５２ａのデータ構造は、図示のテーブルに限定されるものではない。
【００５３】
「緊急度」のカラムには、緊急度を示す数値が格納されている。該数値は、大きい数値であるほど緊急度が高いことを示している。すなわち、図示の例では、「１００」が最も高い緊急度を示す数値である。一方、「０」が最も低い緊急度を示す数値である。「待機時間」のカラムには、待機時間を示す情報が格納されている。該情報は、緊急度が高いことを示す数値に対応付けられているものほど待機時間が短くなっている。「条件」のカラムには、通知生成部１０１ａの待機時間が、緊急度設定１５２ａの各待機時間となるための条件が格納されている。
【００５４】
例えば、緊急度判定部１０２ａは、取得したメールデータの件名に、「緊急」または「至急」というテキストが含まれている場合、該メールの緊急度を１００と特定し、待機時間を０秒と特定する。一方、緊急度判定部１０２ａは、取得した着信番号が、記憶部１５ａに記憶されている電話帳（不図示）に登録されている場合、該メールの緊急度を９０と特定し、待機時間を５秒と特定する。このように、緊急度判定部１０２ａは、複数の所定の待機時間から、緊急度に応じた待機時間を特定する。
【００５５】
なお、緊急度判定部１０２ａは、異なる緊急度に対応付けられているそれぞれの条件を満たす情報を取得した場合、より高い緊急度を、該情報の緊急度として特定する。例えば、緊急度判定部１０２ａは、取得したメールデータの件名に、「緊急」または「至急」というテキストが含まれており、かつ、該メールデータに含まれる送信元がＡさんのメールアドレスである場合、緊急度を１００と特定する。
【００５６】
操作状態判定部１０３ａが、操作状態判定部１０３と異なる点は、ユーザ宛の情報を受信したときに非操作状態と判定した場合、緊急度判定部１０２ａに指示して、待機時間を特定させる点である。操作状態判定部１０３ａは、緊急度判定部１０２ａから待機時間を取得すると、タイマ１７による時間の計測を開始する。そして、操作状態判定部１０３ａは、待機時間が経過するまで、操作部１４に対する操作の検出を継続して行う。操作状態判定部１０３ａは、待機時間が経過するまでの間に、操作部１４に対する操作を検出した場合、その旨を示す情報を通知生成部１０１ａに出力する。一方、操作状態判定部１０３ａは、待機時間が経過するまでの間に、操作部１４に対する操作を検出しなかった場合、その旨を示す情報を通知生成部１０１ａに出力する。
【００５７】
（通知システム１００ａが実行する処理の流れ）
次に、図７に基づいて、通知システム１００ａが実行する処理の流れについて説明する。図７は、通知システム１００ａが実行する処理の流れの一例を示すフローチャートである。なお、このフローチャートでは、ユーザ宛の情報としてメールを例に挙げて説明する。また、図７において、図４の各ステップと同じ処理を実行するステップには、図４と同じ番号を付している。また、図４と同じ番号を付したステップについては、ここでの説明を省略する。
【００５８】
操作状態判定部１０３ａは、スマートフォン１が操作状態でないと判定した場合（Ｓ２でＹＥＳ）、緊急度判定部１０２ａに待機時間を特定させる。具体的には、緊急度判定部１０２ａは、通知生成部１０１から取得したユーザ宛の情報と、緊急度設定１５２ａとに基づいて、緊急度を特定する（Ｓ２１）。続いて、緊急度判定部１０２ａは、特定した緊急度に応じた待機時間を特定する（Ｓ２２）。操作状態判定部１０３ａは、緊急度判定部１０２が特定した待機時間を取得すると、タイマ１７を制御して時間計測を開始する（Ｓ２３）。そして、操作状態判定部１０３ａは、操作部１４に対するユーザ操作の検出を行う（Ｓ２４）。操作状態判定部１０３ａは、待機時間が経過するまでの間にユーザ操作を検出した場合（Ｓ２４でＹＥＳ）、その旨を示す情報を通知生成部１０１ａに出力する。通知生成部１０１ａは、該情報を取得すると処理を終了する。この場合、テレビ２によるメールの受信通知は行われない。
【００５９】
一方、ユーザ操作を検出しなかった場合（Ｓ２４でＮＯ）、操作状態判定部１０３ａは、タイマ１７で計測している時間が待機時間を超えたか否かを判定する（Ｓ２５）。待機時間を超えていないと判定した場合（Ｓ２５でＮＯ）、操作状態判定部１０３ａは、ステップＳ２３の処理を再度実行する。一方、待機時間を超えたと判定した場合（Ｓ２５でＹＥＳ）、操作状態判定部１０３ａは、待機時間が経過するまでの間にユーザ操作を検出なかったことを示す情報を、通知生成部１０１ａに出力する。通知生成部１０１ａは、該情報を取得すると、通知情報を生成する（Ｓ４）。
【００６０】
以上のように、本実施形態に係るスマートフォン１ａは、ユーザ宛の情報を受信したときに非操作状態であった場合、該情報の緊急度に応じた待機時間が経過するまで、テレビ２への通知情報の送信を待機する。これにより、本実施形態に係る通知システム１００ａは、ユーザ宛の情報の緊急度に応じた適切なタイミングで、ユーザへの受信通知を行うことができる。
【００６１】
〔変形例〕
上述した実施形態１および２では、操作状態判定部１０３および操作状態１０３ａは、操作部１４に対する操作が入力されたことを検出することにより、操作状態を示すフラグを立てる構成であった。しかしながら、操作状態を示すフラグを立てるためのトリガは、この例に限定されない。例えば、操作状態判定部１０３および操作状態１０３ａは、表示部１６のバックライトが点灯している場合、操作状態を示すフラグを立てる構成であってもよい。また例えば、スマートフォン１およびスマートフォン１ａは、ユーザによる自機の把持を検出する把持センサ（不図示）を備えていてもよい。この例の場合、操作状態判定部１０３および操作状態１０３ａは、把持センサがユーザによる自機の把持を検出している場合、操作状態を示すフラグを立てる構成であってもよい。なお、把持センサは、スマートフォン１およびスマートフォン１ａの筐体における、長辺側の両側面に設けられていることが好ましい。
【００６２】
また、本発明の一態様に係るスマートフォンは、自機が操作状態でないと判定した場合、常に通知情報を生成する構成であってもよい。この構成について、実施形態１に係るスマートフォン１を例に挙げて説明する。この変形例に係るスマートフォン１の制御部１０は、緊急度判定部１０２を含まない。すなわち、通知生成部１０１は、操作状態判定部１０３が、スマートフォン１が操作状態でないと判定した場合、通知情報を生成する。そして、通知生成部１０１は、該通知情報をテレビ２に送信する。
【００６３】
〔実施形態３〕
（ソフトウェアによる実現例）
スマートフォン１、スマートフォン１ａ、およびテレビ２の制御ブロック（特に制御部１０、制御部１０ａ、および制御部２０）は、集積回路（ＩＣチップ）等に形成された論理回路（ハードウェア）によって実現してもよいし、ＣＰＵ（Central Processing Unit）を用いてソフトウェアによって実現してもよい。
【００６４】
後者の場合、スマートフォン１、スマートフォン１ａ、およびテレビ２は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明の一態様は、上記プログラムが電子的な伝送によって具現化された、搬送波に埋め込まれたデータ信号の形態でも実現され得る。
【００６５】
〔まとめ〕
本発明の態様１に係る通信装置（スマートフォン１、スマートフォン１ａ）は、自装置宛の情報を受信したとき、該情報の受信通知を実行する通信装置であって、上記通信装置が上記情報を受信したことを通知する通知装置（テレビ２）に、該通知の実行指示を近距離無線通信によって送信する送信部（通知生成部１０１、通知生成部１０１ａ）と、上記情報を受信したときに上記通信装置が操作されている状態である操作状態であるか否かを判定する操作判定部（操作状態判定部１０３、操作状態判定部１０３ａ）と、を備え、上記送信部は、上記操作判定部が上記操作状態であると判定した場合、上記実行指示を上記通知装置に送信しない。
【００６６】
上記の構成によれば、通信装置は、自機が操作状態である場合、ユーザ宛の情報を受信しても、通知の実行指示を通知装置に送信しない。これにより、ユーザが通信装置を使用しているために、通信装置からの通知を確認可能な状況である場合は、通知装置からの通知は行われない。よって、通信装置からの通知を確認したユーザに、通知装置からの再度の通知が行われないこととなる。このため、通信装置は、通知装置による無駄な通知が行われることを防ぐことができる。
【００６７】
なお、「自装置宛の情報」とは、通信装置のユーザ宛のメール、ＳＭＳ（shortmessaging service）やインスタントメッセンジャーなどを利用したテキストメッセージ、電話の着信信号および音声信号などである。
【００６８】
本発明の態様２に係る通信装置は、上記態様１において、受信した上記情報が、緊急性が高いか否かを判定する緊急性判定部（緊急度判定部１０２）をさらに備え、上記送信部は、上記操作判定部が上記操作状態でないと判定し、かつ、上記緊急性判定部が緊急性が高いと判定した場合、上記実行指示を上記通知装置に送信する。
【００６９】
上記の構成によれば、通信装置は、受信したユーザ宛の情報が、緊急性が高いものである場合、通知の実行指示を通知装置に送信する。これにより、ユーザに対して通知装置からの通知が行われる。以上より、通信装置は、緊急の場合に速やかに通知装置に通知を行わせることができる。よって、ユーザは緊急時に迅速な対応を取ることができる。
【００７０】
本発明の態様３に係る通信装置は、上記態様１において、上記操作判定部は、上記通信装置が上記情報を受信したときに上記操作状態でないと判定した場合、上記情報を受信してから、受信した上記情報の緊急性の度合いに応じた待機時間が経過するまでの間、上記通信装置に対する操作の検出を継続し、上記送信部は、上記待機時間が経過するまでの間に、上記操作判定部によって上記通信装置に対する操作が検出されなかった場合、上記実行指示を上記通知装置に送信する。
【００７１】
上記の構成によれば、通信装置は、ユーザ宛の情報を受信したときに自機が動作状態でない場合、緊急度に応じた待機時間を設定する。そして、通信装置は、該待機時間が経過するまでの間に、自機に対する操作が検出されなかった場合、実行指示を通知装置に送信する。これにより、ユーザに対して通知装置からの通知が行われる。以上より、通信装置は、ユーザが自機を操作していない場合、ユーザ宛の情報を受信してから、緊急度に応じた待機時間が経過した後に、通知装置に通知を行わせることができる。よって、通信装置は、受信した情報に応じた適切なタイミングで、ユーザへ受信通知を行うことができる。
【００７２】
本発明の態様４に係る通信装置の制御方法は、自装置のユーザ宛の情報を受信したとき、該情報の受信通知を実行する通信装置の制御方法であって、上記通信装置が上記情報を受信したことを通知する通知装置に、該通知の実行指示を近距離無線通信によって送信する送信ステップ（ステップＳ５）を含み、上記情報を受信したときに上記通信装置が上記ユーザによって操作されている状態である操作状態であるか否かを判定する操作判定ステップ（ステップＳ２）をさらに含むとともに、上記操作判定ステップにおいて上記操作状態であると判定された場合、上記送信ステップによる上記実行指示の上記通知装置への送信を行わない。上記の構成によれば、態様１に係る通信装置と同様の作用効果を奏する。
【００７３】
本発明の各態様に係る通信装置は、コンピュータによって実現してもよく、この場合には、コンピュータを上記通信装置が備える各部（ソフトウェア要素）として動作させることにより上記通信装置をコンピュータにて実現させる通信装置の制御プログラム、およびそれを記録したコンピュータ読み取り可能な記録媒体も、本発明の範疇に入る。
【００７４】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【００７５】
１  スマートフォン（通信装置）
１ａ  スマートフォン（通信装置）
２  テレビ（通知装置）
１００  通知システム
１０１  通知生成部（送信部）
１０１ａ  通知生成部（送信部）
１０２  緊急度判定部（緊急性判定部）
１０３  操作状態判定部（操作判定部）
１０３ａ  操作状態判定部（操作判定部）
Ｓ２  操作判定ステップ
Ｓ５  送信ステップ
【図１】
2018084883.tif 000003
【図２】
2018084883.tif 000004
【図３】
2018084883.tif 000005
【図４】
2018084883.tif 000006
【図５】
2018084883.tif 000007
【図６】
2018084883.tif 000008
【図７】
2018084883.tif 000009